(57)【特許請求の範囲】
【請求項１】
自転及び公転方式の撹拌又は脱泡撹拌装置の自転及び公転する容器（以下、遊星回転容器という。）１０内に被撹拌又は被脱泡撹拌の物質を充填した容器（以下、物質充填容器という。）２０又は２０Ｂを収容して入脱可能に保持すると共に、前記遊星回転容器１０と共に前記物質充填容器２０又は２０Ｂに自転及び公転ができるようにした容器アダプターであって、２液混合常温硬化形のゴム・合成樹脂を前記遊星回転容器１０内に注入して硬化させた粘着性ゴム・合成樹脂成形体３０又は３０Ｂからなり、前記ゴム・合成樹脂成形体３０又は３０Ｂを前記遊星回転容器１０内に着脱可能に嵌入できるようにすると共に、前記物質充填容器２０又は２０Ｂを、前記自転及び公転方式の撹拌又は脱泡撹拌装置の運転停止時には、前記ゴム・合成樹脂成形体３０又は３０Ｂに入脱可能に保持され、前記自転及び公転方式の撹拌又は脱泡撹拌装置の運転中は、前記ゴム・合成樹脂成形体３０又は３０Ｂの容器孔３１又は３１Ｂに粘着されて遊星回転容器１０と共に自転及び公転ができるようにしたことを特徴とする容器アダプター。
【発明の詳細な説明】
【技術分野】
【０００１】
本発明は、自転及び公転方式の撹拌又は脱泡撹拌装置の自転及び公転する容器（遊星回転容器）内に収容される被撹拌又は被脱泡撹拌物質を充填した容器（物質充填容器）を入脱可能に保持できるようにすると共に、遊星回転容器と共に自転及び公転できるようにした容器アダプターに関する。
【背景技術】
【０００２】
従来、上記遊星回転容器に、被撹拌又は被脱泡撹拌物質を直接充填して、自転及び公転させて撹拌又は脱泡撹拌した場合、撹拌又は脱泡撹拌が終了した物質は、上記遊星回転容器に保存されるか、他の容器に移し替えられて、前記遊星回転容器は、洗滌して再使用されていたが、特別な仕様を必要とする、遊星回転容器は比較的高価である、また遊星回転容器をいちいち洗滌して再使用することは、極めて手間である、などの理由から、特開平１１−１７９１８１号公報に示すような、安価な使いすて容器を遊星回転容器内に入脱可能に嵌入して使用する容器アダプターが考えられた。しかしながら、この方式の容器アダプターでは、上記公報の図６乃至図９に示すように、使いすて容器である蓋付容器１は自転及び公転するカップホルダー３又はアダプター４に圧入しなければならないので、入脱に比較的力を要し、また、板バネ５やＯリングを用意する必要がある、さらに、使いすて容器１が紙コップなどの脆弱な容器の場合は、圧入が困難な上にクリップ６止めなどの補助手段を加える必要があり、作業が面倒であるなどの問題点があった。
そこで、本発明者は、自転及び公転方式の撹拌又は脱泡撹拌装置に使用される自転及び公転する容器（遊星回転容器）内に収容される被撹拌又は被脱泡撹拌物質を充填した容器（物質充填容器）に、使いすての一般の容器や合成樹脂フィルム製コップ、紙コップ等を入脱可能に嵌入する容器アダプターとして、２液混合常温硬化形のゴム・合成樹脂成形体のうち粘着性のあるものを使用すれば上記問題点が解決できることを見出し本発明を完成した。
【特許文献１】特開平１１−１７９１８１号
【発明の開示】
【発明が解決しようとする課題】
【０００３】
本発明は、自転及び公転方式の撹拌又は脱泡撹拌装置の遊星回転容器内に着脱可能に嵌入できると共に、使いすての蓋付容器や合成樹脂フィルム製コップ、紙コップ等を力を加えることなくそのまま入脱でき、遊星回転容器の自転運動及び公転運動に追従して、使いすての前記蓋付容器や合成樹脂フィルム製コップ、紙コップ等に撹拌又は脱泡撹拌を与える容器アダプターを提供するものである。
また、本発明は、自転及び公転方式の撹拌又は脱泡撹拌装置の運転停止時は、使いすての蓋付容器や合成樹脂フィルム製コップ、紙コップ等を何らの力を加えることなく、そのまま入脱ができ、前記装置の運転中は使いすて容器を遊星回転容器に追従して、撹拌又は脱泡撹拌ができるようにした容器アダプターを提供するものである。
【課題を解決するための手段】
【０００４】
本発明容器アダプターは、上記課題を達成するため、図示するように、自転及び公転方式の撹拌又は脱泡撹拌装置の自転及び公転する容器（遊星回転容器）１０内に被撹拌又は被脱泡撹拌の物質を充填した容器（物質充填容器）２０又は２０Ｂを収容して入脱可能に保持すると共に、前記遊星回転容器１０と共に前記物質充填容器２０又は２０Ｂに自転及び公転ができるようにした容器アダプターであって、２液混合常温硬化形のゴム・合成樹脂を前記遊星回転容器１０内に注入して硬化させた粘着性ゴム・合成樹脂成形体３０又は３０Ｂからなり、前記ゴム・合成樹脂成形体３０又は３０Ｂを前記遊星回転容器１０内に着脱可能に嵌入できるようにすると共に、前記物質充填容器２０又は２０Ｂを、前記自転及び公転方式の撹拌又は脱泡撹拌装置の運転停止時には、前記ゴム・合成樹脂成形体３０又は３０Ｂに入脱可能に保持され、前記自転及び公転方式の撹拌又は脱泡撹拌装置の運転中は、前記ゴム・合成樹脂成形体３０又は３０Ｂの容器孔３１又は３１Ｂに粘着されて前記遊星回転容器１０と共に自転及び公転ができるようにしたものである。
本発明において、粘着性ゴム・合成樹脂成形体３０又は３０Ｂは、いわゆるＲＴＶシリコーンゴム（室温加硫型シリコーンゴム）やウレタン樹脂等の公知の２液常温硬化型のゴム・合成樹脂の主剤と硬化剤とを主成分としたものを遊星回転容器１０と物質充填容器２０又は２０Ｂとの間に注入して硬化成形させて、硬質、半硬質乃至弾性質、又は軟質の成形体を得て、そのうち表面粘着性のものが使用されるものである。２液常温硬化型のゴム・合成樹脂の注入硬化によって前記成形体３０又は３０Ｂは僅かに収縮するので、遊星回転容器１０内に着脱可能に嵌入でき、また、物質充填容器２０又は２０Ｂを入脱可能に収容するため、前記成形体３０又は３０Ｂに形成される容器孔３１又は３１Ｂは、僅かに孔径を拡大するので、前記物質充填容器２０又は２０Ｂは入脱可能に嵌入でき、前記成形体３０又は３０Ｂの表面粘着性が加わって、遊星回転容器１０の自転及び公転に追従して物質充填容器２０又は２０Ｂが自転及び公転して撹拌又は脱泡撹拌することができる。また、前記成形体３０又は３０Ｂの前記物質充填容器２０又は２０Ｂを入脱するための容器孔３１又は３１Ｂ径をさらに拡大するように形成しても、前記成形体３０又は３０Ｂの粘着力と前記撹拌又は脱泡撹拌装置の運転中の遊星回転容器１０の遠心力が及ぶ範囲内では、前記物質充填容器２０又は２０Ｂが前記成形体３０又は３０Ｂの容器孔３１又は３１Ｂから脱落することはない。
【発明の効果】
【０００５】
本発明容器アダプターは、使いすての蓋付容器や合成樹脂フィルム製コップ、紙コップ等を、そのまま、何らの力を加えることなく、入脱でき、また、遊星回転容器が自転及び公転中は、それに追従して、物質充填容器を自転及び公転して、撹拌又は脱泡撹拌できるので、従来、被撹拌又は被脱泡撹拌物質を多量に撹拌又は脱泡撹拌したのち、蓋付容器等に小分け詰替えしていた作業が全く不要となり、被撹拌又は被脱泡撹拌したい物質をそのまま蓋付容器に入れたのち、遊星回転容器内に収容すれば、撹拌又は脱泡撹拌物質が蓋付容器と共に直接得られる。
従って、従来の被撹拌又は被脱泡撹拌物質の詰替作業が省略できる上に、少量多品種の容器詰め作業も能率よくできることになった。
さらに、本発明では、紙コップや合成樹脂フィルム製コップ等もそのまま挿入して使用できるので、従来、テスト用その他で遊星回転容器を直接使用した場合の補充や再洗滌のわずらわしさが解消でき、大巾な経費節約ができることになった利点も大きい。
【発明を実施するための最良の形態】
【０００６】
本発明の容器アダプターは、蓋付の一般容器用又は合成樹脂製コップ又は紙製コップ等の使いすて容器を使用するための粘着性ゴム・合成樹脂成形体を製作することにある。
【実施例１】
【０００７】
本発明の実施例１が図１及び図２に示されている。本発明例の容器アダプターは、ゴム・合成樹脂成形体３０からなっている
ゴム・合成樹脂成形体３０は、遊星回転容器１０内の底面１１に着脱可能に載置できるようにした２液混合常温硬化型の粘着性の硬化成形体の円筒状のもので、蓋付容器（物質充填容器）２０の側壁２２を立設して入脱可能に挿入できるようにした容器孔３１を設けている。
ゴム・合成樹脂成形体３０は、図２に示すように、２液混合常温硬化型のゴム・合成樹脂液を容器１０と容器２０との間に注入して硬化成形することにより得られる。
詳述すると、容器１０に空容器２０を立設して剥離可能に固着したのち、空容器２０の側壁２２のまわりに円筒状の合成樹脂フィルム４０を嵌合し、また、容器１０の内側壁１２のまわりに円筒状の合成樹脂フィルム５０を嵌合する。合成樹脂フィルム４０の外側４１及び合成樹脂フィルム５０の内側５１にはシリコーン樹脂系、弗素樹脂系、その他の公知の剥離剤を塗布又は吹付けることが好ましい。なお、ゴム・合成樹脂成形体３０の収縮性、粘着性、柔軟性等の性状及び容器１０又は２０の性状により合成樹脂フィルム４０又は（及び）５０を省略する場合がある。
次いで、フィルム４０とフィルム５０の間に前記２液混合常温硬化型のゴム合成樹脂液を所定高さ３４まで注入して硬化成形させる。
次に、ゴム・合成樹脂成形体３０の硬化成形が完了したら、合成樹脂フィルム４０及び５０を除去し、空容器２０を回転して剥離し、容器２０と底面１１の剥離シート（図示しない）を除去すれば、図１に示す容器孔３１を設けた容器アダプター３０が出来上がる。
次に、被撹拌又は被脱泡撹拌物質を入れ、蓋２１を緩めて空気を流通できるようにした容器２０を、本発明アダプター３０と共に容器１０に入れて、容器１０と共に、自転及び公転運動させて、容器２０の撹拌又は脱泡撹拌が終了すれば、蓋付容器２０はそのまま製品として出荷できる。
【実施例２】
【０００８】
本発明の実施例２が図３及び図４に示されている。本発明例の容器アダプターは、ゴム・合成樹脂成形体３０Ｂからなっている
ゴム・合成樹脂成形体３０Ｂは、遊星回転容器１０内の底面１１に着脱可能に載置できるようにした２液混合常温硬化型の粘着性の硬化成形体のテーパー筒状のもので、使いすて容器（物質充填容器）２０Ｂを立設して入脱可能に挿入できるようにした容器孔３１Ｂを設けている。
ゴム・合成樹脂成形体３０Ｂは、図４に示すように、２液混合常温硬化型のゴム・合成樹脂液を容器１０と容器２０Ｂの間に注入して硬化成形することにより得られる。
詳述すると、適当な充填体（図示しない）を封入した容器２０Ｂを倒立設して剥離可能に固着したのち、容器２０Ｂの側壁２２Ｂのまわりにテーパー筒状の合成樹脂フィルム４０Ｂを嵌合し、また、容器１０の側壁１２のまわりに円筒状の合成樹脂フィルム５０Ｂを嵌合する。合成樹脂フィルム４０Ｂの外側４１Ｂ及び合成樹脂フィルム５０Ｂの内側５１Ｂにはシリコーン樹脂系、弗素樹脂系、その他の公知の剥離剤を塗布又は吹付けることが好ましい。なお、ゴム・合成樹脂成形体３０Ｂの収縮性、粘着性、柔軟性等の性状及び容器１０又は２０Ｂの性状により合成樹脂フィルム４０Ｂ又は（及び）５０Ｂを省略する場合がある。
次いで、フィルム４０Ｂとフィルム５０Ｂの間に前記ゴム・合成樹脂液を所定高さ３４Ｂまで注入して硬化成形させる。
次に、ゴム・合成樹脂成形体３０Ｂの硬化成形が完了したら、合成樹脂フィルム４０Ｂ及び５０Ｂを除去し、容器２０Ｂを回転して剥離し、容器２０Ｂと底面１１の剥離シート（図示しない）を除去すれば、図３に示す容器孔３１を設けた容器アダプター３０Ｂが出来上がる。
次に、被撹拌又は被脱泡撹拌物質を入れた容器２０Ｂを本発明アダプター３０Ｂと共に容器１０に入れて、容器１０と共に、自転及び公転運動させて、容器２０Ｂの撹拌又は脱泡撹拌が終了すれば、容器２０Ｂはそのまま取り出せる。
【産業上の利用可能性】
【０００９】
本発明の容器アダプターは、産業上の利用用途が広く、製作簡単で、量産でき、安価につく。
【図面の簡単な説明】
【００１０】
【図１】本発明の実施例を示す説明図である。
【図２】図１のゴム・合成樹脂成形体のつくり方の説明図である。
【図３】本発明の別の実施例を示す説明図である。
【図４】図３のゴム・合成樹脂成形体のつくり方の説明図である。
【符号の説明】
【００１１】
１０            自転及び公転する容器（遊星回転容器）
２０、２０Ｂ    被撹拌又は被脱泡撹拌物質を充填した容器（物質充填容器）
３０、３０Ｂ    ゴム・合成樹脂成形体
３１、３１Ｂ    ゴム・合成樹脂成形体の容器孔
【要約】
【課題】  自転及び公転方式の撹拌又は脱泡撹拌装置の自転及び公転する容器に、使いすての容器をそのまま入脱できるようにして、使いすて容器に充填された物質を撹拌又は脱泡撹拌できるようにした容器アダプターを提供する。
【解決手段】  自転及び公転方式の撹拌又は脱泡撹拌装置の自転及び公転する容器１０内に、使いすて容器２０又は２０Ｂを入脱できるようにした粘着性ゴム・合成樹脂成形体３０又は３０Ｂを嵌入して使いすて容器２０又は２０Ｂに自転及び公転ができるようにしたもの。
【選択図】    図１
【図１】
0003672039.tif 000002
【図２】
0003672039.tif 000003
【図３】
0003672039.tif 000004
【図４】
0003672039.tif 000005